(57)【要約】      （修正有）【課題】バイク用感知式ロックシステムを提供する。【解決手段】バイク用感知式ロックシステム１は、感知モジュール２と、位置決めモジュール３と、連動装置５とを備える。感知モジュールはタッチユニット２１及びワイヤレス送信装置２４を更に含む。タッチユニットはタッチパネル２２及び処理素子２３を更に備え、若干のタッチモードが設定され、タッチパネルにより操作が行われる。位置決めモジュールは本体３１及び回転部材３２で構成され、その一側にはモーター３０が接続され、感知モジュールに電気的に接続される。連動装置は回転部材に固設される連動ロープ５１を備え、連動モジュールにそれぞれ接続される。タッチパネル上で若干のタッチモードの内の１つが実行されると、回転部材がモーターにより駆動されて回転を行い、シートカバーまたはガソリンタンクカバーに対応されるバックルが引っ張られ、シートカバーまたはガソリンタンクカバーが開かれる。【選択図】図１
0003207670.tif 000002
【実用新案登録請求の範囲】
【請求項１】
携帯電子装置により事前に感知が行われた後に少なくとも前記バイクのシートカバーまたはガソリンタンクカバーのロック解除が行われるバイク用感知ロックシステムであって、
タッチユニット及びワイヤレス送信装置で構成され、前記タッチユニットはタッチパネル及び処理素子をさらに含み、前記携帯電子装置はワイヤレス伝送技術により前記ワイヤレス送信装置と共に感知を行い、前記タッチユニットを起動させ、且つ前記処理素子には若干のタッチモードが設定され、前記タッチパネルを使用して操作が行える感知モジュールと、
本体及び前記本体に枢着される回転部材を含み、前記回転部材の一側はモーターに接続され、且つ前記感知モジュールに電気的に接続される位置決めモジュールと、
連動ロープを含み、前記位置決めモジュールの回転部材に固設され、前記連動ロープは対応し合う第一端部及び第二端部からなり、連動モジュールにそれぞれ接続され、前記タッチパネルで前記若干のタッチモードの内の１つが実行されると、前記回転部材は前記モーターにより駆動されて回転を行い、前記連動ロープの第一端部または第二端部の連動モジュールにより前記シートカバーまたはガソリンタンクカバーに対応されるバックルが引っ張られ、前記シートカバーまたはガソリンタンクカバーが開かれる連動装置と、を備えることを特徴とする、
バイク用感知ロックシステム。
【請求項２】
前記位置決めモジュールの回転部材はターンテーブル及び前記ターンテーブルに設置されるシャフトを備え、前記シャフトは前記本体に枢着され、前記ターンテーブルには前記連動ロープが周設され、且つ前記シャフトを軸心として回転を行い、前記シャフトの一端には前記ターンテーブルの回転角度の感知に用いられる感知素子が更に接続され、且つ反転信号を発生させ、前記回転部材が回転を行うことで前記シートカバーまたはガソリンタンクカバーが開けられた後、前記モーターにより駆動されて復位状態になるまで逆回転を行うことを特徴とする、請求項１に記載のバイク用感知ロックシステム。
【請求項３】
前記ターンテーブルの辺縁には固着部が設けられるトラックが周設され、前記連動ロープは前記トラックに周設されると共に前記連動ロープにより前記固着部が貫通され、前記固着部には固着部材が連結され、前記固着部材により前記固着部が貫通されると共に当接され、且つ前記連動ロープが前記トラックに固定されることを特徴とする、請求項２に記載のバイク用感知ロックシステム。
【請求項４】
前記位置決めモジュールの本体はベース及び前記ベースに設置される固定壁を備え、前記固定壁には前記回転部材が連結され、前記ベースは前記連動ロープに対応される各連動モジュールの箇所にスルーホール及び前記スルーホールの一端から延出される案内溝が設けられ、前記連動モジュールの一部分は前記連動ロープに引っ張られて前記スルーホール及び案内溝に進入させるか取り出されることを特徴とする、請求項１に記載のバイク用感知ロックシステム。
【請求項５】
各連動モジュールは、スライダーと、連接ロッドと、牽引ロープとを備え、前記連接ロッドの一端は前記連動ロープの第一端部または第二端部に連接され、他端は前記スライダーに連接され、前記牽引ロープの一端は前記スライダーに連接され、他端は前記シートカバーまたはガソリンタンクカバーに対応されるバックルに接続されることを特徴とする、請求項４に記載のバイク用感知ロックシステム。
【請求項６】
前記案内溝内にはスプリングが更に設置され、その一端は前記スルーホールに当接され、他端は前記スライダーに当接され、前記連接ロッドにより前記スプリングが貫通され、前記スプリングは前記スライダーの移動の促進に用いられることを特徴とする、請求項５に記載のバイク用感知ロックシステム。
【請求項７】
前記処理素子に設定される若干のタッチモードは第一スライドジェスチャー及び第二スライドジェスチャーを含み、前記タッチパネル上で前記第一スライドジェスチャーが実行されると、前記連動ロープの第一端部の連動モジュールが前記回転部材の回転を受けることで前記シートカバーが引っ張られて開かれ、前記タッチパネル上で前記第二スライドジェスチャーが実行されると、前記第二端部の連動モジュールが前記回転部材の回転を受けることで前記ガソリンタンクカバーが引っ張られて開かれることを特徴とする、請求項１に記載のバイク用感知ロックシステム。
【請求項８】
前記若干のタッチモードは第三スライドジェスチャーを更に含み、前記タッチパネル上で実行された後に電断信号が発生して前記処理素子に送信され、前記バイクがエンジンオフになることを特徴とする、請求項７に記載のバイク用感知ロックシステム。
【請求項９】
前記携帯電子装置にはアプリケーションプログラムがインストールされ、少なくとも前記若干のタッチモードの設定に用いられ、且つワイヤレス伝送技術により前記若干のタッチモードが前記感知モジュールの処理素子に伝送されることを特徴とする、請求項１に記載のバイク用感知ロックシステム。
【考案の詳細な説明】
【技術分野】
【０００１】
本考案は、感知方式により発動され、エンジンオフが行われるか、またはバイクに配置されるロックのロック解除が行われるバイク用感知ロックシステムに関する。
【背景技術】
【０００２】
ロックは通常対応するキーにより解除され、物品に鍵を掛けるための安全装置として使用される。交通機関または他の機関に使用される開閉装置は、例えば、自動車やバイク等の交通機関では、ロックはエンジンの起動及びエンジンオフを行うために使用され、キーを挿入して回転することでエンジンを発動させたりエンジンオフを行う。
【考案の概要】
【考案が解決しようとする課題】
【０００３】
しかしながら、前述した従来のロック技術では、すなわち、使用者はキーを厳重に保管せねばならず、キーを忘れれば前述の動作が行えなくなる。また、キーは一定期間使用された後には、金属の輪郭が摩損してしまい、ロックに挿入される際の適合度に影響が及び、回転がスムーズに行えなくなり、車両を発動できなくなるため、キーを交換せねばならなくなり、非常に面倒で不便であった。
【０００４】
なお、ある業者は感知式キーを開発して従来のロック及びキーを代替している。無線伝送方式により感知を行い装置を起動させ、自動車両のドアロックによく使用されている。感知チップを有するキーがドアロックに近付けられると、自動的にドアロックが解除され、或いはリモコンによりドアロックの開閉が制御される。
しかしながら、このロック解除方式では、使用者はリモコンまたは感知キーを持ってロック解除を行うため、換言すれば、誰かが前記リモコンまたは感知キーを手に入れればロックを解除できるようになり、身元の確認が行われないため、リモコンまたは感知キーを紛失すると、誰かにロックを解除される恐れがある。従来の感知キーまたはリモコンではキーを挿入して回転させる動作が不要になるが、安全機制がなく、且つ単一のロックに対してのみロック解除が行えるため、使用上の不便と盗難の危険性が存在した。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、感知方式によりロック解除及びエンジンオフを行い、従来のハードウェアキーを有効的に代替させて、ロック解除に関する不便を解消させる、バイク用感知式ロックシステムを提供することを主目的とする。
【０００７】
また、単一機構の連動装置により、ジェスチャーコントロール方式によりバイクのシートカバーまたはガソリンタンクカバーを開くかエンジンオフを行うことで、身元照合による安全機制を実現させる。
【課題を解決するための手段】
【０００８】
上述した課題を解決し、目的を達成するための本考案に係るバイク用感知式ロックシステムは、携帯電子装置により事前に感知が行われた後に少なくとも前記バイクのシートカバーまたはガソリンタンクカバーのロック解除が行われ、前記感知ロックシステムは、タッチユニット及びワイヤレス送信装置で構成され、前記タッチユニットはタッチパネル及び処理素子をさらに含み、前記携帯電子装置はワイヤレス伝送技術により前記ワイヤレス送信装置と共に感知を行い、前記タッチユニットを起動させ、且つ前記処理素子には若干のタッチモードが設定され、前記タッチパネルを使用して操作が行える感知モジュールと、本体及び前記本体に枢着される回転部材を含み、前記回転部材の一側はモーターに接続され、且つ前記感知モジュールに電気的に接続される位置決めモジュールと、連動ロープを含み、前記位置決めモジュールの回転部材に固設され、前記連動ロープは対応し合う第一端部及び第二端部からなり、連動モジュールにそれぞれ接続され、前記タッチパネルで前記若干のタッチモードの内の１つが実行されると、前記回転部材は前記モーターにより駆動されて回転を行い、前記連動ロープの第一端部または第二端部の連動モジュールにより前記シートカバーまたはガソリンタンクカバーに対応されるバックルが引っ張られ、前記シートカバーまたはガソリンタンクカバーが開かれる連動装置とを備えることを特徴とする。
【０００９】
また、前記位置決めモジュールの回転部材はターンテーブル及び前記ターンテーブルに設置されるシャフトを備え、前記シャフトは前記本体に枢着され、前記ターンテーブルには前記連動ロープが周設され、且つ前記シャフトを軸心として回転を行い、前記シャフトの一端には前記ターンテーブルの回転角度の感知に用いられる感知素子が更に接続され、且つ反転信号を発生させ、前記回転部材が回転を行うことで前記シートカバーまたはガソリンタンクカバーが開けられた後、前記モーターにより駆動されて復位状態になるまで逆回転を行う。
【００１０】
さらに、前記位置決めモジュールの本体はベース及び前記ベースに設置される固定壁を備え、前記固定壁には前記回転部材が連結され、前記ベースは前記連動ロープに対応される各連動モジュールの箇所にスルーホール及び前記スルーホールの一端から延出される案内溝が設けられ、前記連動モジュールの一部分は前記連動ロープに引っ張られて前記スルーホール及び案内溝に進入させるか取り出される。
【００１１】
なお、前記処理素子に設定される若干のタッチモードは第一スライドジェスチャー及び第二スライドジェスチャーを含み、前記タッチパネル上で前記第一スライドジェスチャーが実行されると、前記連動ロープの第一端部の連動モジュールが前記回転部材の回転を受けることで前記シートカバーが引っ張られて開かれ、前記タッチパネル上で前記第二スライドジェスチャーが実行されると、前記第二端部の連動モジュールが前記回転部材の回転を受けることで前記ガソリンタンクカバーが引っ張られて開かれる。前記若干のタッチモードは第三スライドジェスチャーを更に含み、前記タッチパネル上で実行された後に電断信号が発生して前記処理素子に送信され、前記バイクがエンジンオフになる。
【考案の効果】
【００１２】
本考案のバイク用感知式ロックシステムによれば、携帯電子装置により事前に感知モジュールの感知を行って回路を導通させ、その後、タッチパネル上でタッチモードの操作を行うことで、連動装置の２つの連動モジュールによりシートカバーまたはガソリンタンクカバーに対応されるバックルが引っ張られ、シートカバーまたはガソリンタンクカバーが開かれ、また、タッチパネルの操作によりエンジンオフが達成される。
このため、本考案に係るバイク用感知ロックシステムにより従来のハードウェアのバイクキーを代替させることで、ロック解除が便利になり、携帯電子装置及びタッチモードによる二重の安全確認機制を達成させ、従来の車のキーが盗難に遭い車内の物品が盗まれる恐れがあるという欠点を効果的に解決させる。
【図面の簡単な説明】
【００１３】
【図１】本考案の好ましい実施形態によるバイク用感知式ロックシステムを示す外観斜視図である。
【図２】本考案の位置決めモジュール及び連動装置を示す展開図である。
【図３】図２に示す斜視の組立の概略図である。
【図４】本考案の感知式ロックシステムがバイクに用いられる外観斜視図である。
【図５】本考案の感知モジュールにより方向動作を行う傾斜の概略図である。
【図６】本考案の連動装置を示す動作の概略図である。
【図７】本考案の連動装置が復位状態を示す概略図である。
【図８】本考案のバイク用感知式ロックシステムの一を示す動作の概略図である。
【図９】本考案のバイク用感知式ロックシステムを示す他の動作の概略図である。
【図１０】本考案のバイク用感知式ロックシステムのタッチモードを示すブロック図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
バイク用感知式ロックシステム１は、携帯電子装置６により事前に感知を行った後に少なくとも前記バイク７のシートカバー７１またはガソリンタンクカバー７２のロック解除を行う。携帯電子装置６は携帯電話、タブレット端末、或いは無線伝送機能を有する他の電子装置であり、バイク７のシートカバー７１またはガソリンタンクカバー７２には従来の係合構造を有するバックル７０がそれぞれ設置される。
本考案の感知ロックシステム１はバイク７が本来有するシートカバー７１またはガソリンタンクカバー７２のロック解除、及びエンジンオフ動作の実行に応用され、バイク本来のキーの機能を代替させる。
【実施例】
【００１６】
（第１実施形態）
以下、本考案のバイク用感知式ロックシステム１の好ましい実施形態を図１〜６に基づいて説明する。感知式ロックシステム１は、感知モジュール２と、位置決めモジュール３と、連動装置５とを備える。
図１に示すように、感知モジュール２はタッチユニット２１及びワイヤレス送信装置２４を含み、無線自動識別技術（ＲＦＩＤ）または近距離無線通信技術（ＮＦＣ）、或いは他の無線伝送技術により伝送され、且つ対応される無線伝送機能を有する携帯電子装置６（図８参照）との相互の感知及び伝送を行い、タッチユニット２１を起動させる。また、携帯電子装置６は無線伝送技術によりデータパラメータを処理素子２３に伝送させ、バイク７のスピーカー等の他の機能の設定を行う。タッチユニット２１はタッチパネル２２及びマイクロプロセッサ等の処理素子２３を含み、且つ若干のタッチモード２１０の設定に用いられ、タッチパネル２２上での操作に使用される。
携帯電子装置６にはアプリケーションプログラムがインストールされ、使用者の好みに合った若干のタッチモード２１０に設定でき、且つ無線伝送技術により処理素子２３に伝送される。前記若干のタッチモード２１０は、第一スライドジェスチャー２１１と、第二スライドジェスチャー２１２と、第三スライドジェスチャー２１３とを少なくとも含み（図１０参照）、これら前記ジェスチャーは簡易な異なる図形である。タッチパネル２２がバイク７のハンドル付近に設置されることにより、使用者が感知操作を行いやすくなる。
【００１７】
図２を参照する。位置決めモジュール３は本体３１及び本体３１に枢着される回転部材３２を備える。本体３１はベース３１１及びベース３１１に設けられる固定壁３１０を含み、ベース３１１に一体成形される。好ましい実施において、ベース３１１の厚さは固定壁３１０より厚い。
回転部材３２はターンテーブル３３及びターンテーブル３３に設置されるシャフト３４を備え、シャフト３４はターンテーブル３３の一側に位置され、その一端にはモーター３０が接続され、他端は本体３１の固定壁３１０を貫通させると共に感知素子４に電気的に接続される。ターンテーブル３３はシャフト３４を軸心としてモーター３０により駆動されることで回転を行う。また、ターンテーブル３３の辺縁には固着部３３２が設けられるトラック３３１が周設され、固着部３３２の中央箇所には鍵穴（符号なし）を有し、固着部材３３３のロックに用いられる。
【００１８】
図２及び図６を参照する。連動装置５は、鋼製材質で製造され、ターンテーブル３３のトラック３３１に周設され、且つ固着部３３２が貫通された後に固着部材３３３に当接されて、連動ロープ５１がトラック３３１に固定される連動ロープ５１を備える。連動ロープ５１は対応し合う第一端部５１１及び第二端部５１２を含み、連動モジュール５２にそれぞれ接続され、各連動モジュール５２は、スライダー５２１と、連接ロッド５２２と、牽引ロープ５２３とを備える。連接ロッド５２２の一端は連動ロープ５１の第一端部５１１または第二端部５１２に連接され、他端はスライダー５２１に連接される。
具体的な実施において、スライダー５２１には位置決め孔５２５及び位置決め孔５２５に連通される位置決め用案内溝５２６が内設され、位置決め孔５２５は定位柱５２７の設置に用いられ、牽引ロープ５２３の一端に連接され、牽引ロープ５２３は位置決め用案内溝５２６に延出され、且つ他端はシートカバー７１またはガソリンタンクカバー７２に対応されるバックル７０に連接される。ベース３１１は連動ロープ５１の各連動モジュール５２に対応される箇所にスルーホール３１２及びスルーホール３１２の一端から延出される案内溝３１３が設けられ、連接ロッド５２２及びスライダー５２１がスルーホール３１２及び案内溝３１３内で移動できる。
具体的な実施において、案内溝３１３にはスプリング５２４が更に内設され、その一端はスルーホール３１２に当接され、他端はスライダー５２１に当接され、前記連接ロッド５２２によりスプリング５２４が貫通され、前記スプリング５２４はスライダー５２１の移動の促進に利用される。ベース３１１の一側にはカバー３５が連結され、バイク７のハンドルの前方の車体内に固定される。
【００１９】
本考案に係るバイク用感知ロックシステム１は使用において、先ず携帯電子装置６を持ってタッチパネル２２に近付いて感知させた後、感知モジュール２の回路が位置決めモジュール３のモーター３０及び感知素子４に導通され、且つ使用者がバイク７を発動できるようになり、ハードウェアキーを挿入させて発動させる必要がなくなる。
シートカバー７１またはガソリンタンクカバー７２を開ける場合、タッチパネル２２上で指で第一スライドジェスチャー２１１または第二スライドジェスチャー２１２を実行する。第一スライドジェスチャー２１１が実行された後に、信号が処理素子２３からモーター３０に伝送され、モーター３０が時計回り或いは反時計回り方向にターンテーブル３３を回転させ、且つ連動ロープ５１が連動されて移動され、連動ロープ５１の第一端部５１１の連動モジュール５２が同期されて移動される。換言すれば、第一端部５１１に連接される連接ロッド５２２及びスライダー５２１が上に向けてスルーホール３１２及び案内溝３１３内を移動すると、スライダー５２１に連接される牽引ロープ５２３が牽引されてシートカバー７１のバックル７０が引っ張られて解除され、シートカバー７１が開けられる（図９参照）。
【００２０】
同様に、タッチパネル２２上で第二スライドジェスチャー２１２が実行された後に、第二端部５１２の連動モジュール５２がターンテーブル３３の回転を受けて連接される牽引ロープ５２３を牽引させ、且つガソリンタンクカバー７２が引っ張られて開かれる（図８参照）。
また、ターンテーブル３３に接続される感知素子４はターンテーブル３３の回転角度の感知に用いられ、且つ反転信号を発生させて、ターンテーブル３３の回転によりシートカバー７１またはガソリンタンクカバー７２が開かれた後、モーター３０により駆動されて復位状態になるまで逆回転される（図７参照）。連動ロープ５１の第一端部５１１及び第二端部５１２に接続される連動モジュール５２は同一の水平位置にそれぞれ位置される。
【００２１】
このほか、タッチパネル２２上で第三スライドジェスチャー２１３が実行されると、実行後に電断信号が発生して処理素子２３に伝送され、バイク７がエンジンオフ７３状態になる（図１０参照）。また、他の具体的な実施において、連動装置５はバイク７が本来有するハンドルロック装置（図示せず）に接続され、且つ、同様にタッチパネル２２上でバイク７のハンドルのロックまたはロック解除の操作を行える。
【００２２】
総合すると、本考案のバイク用感知式ロックシステム１は、携帯電子装置６により事前に感知モジュール２の感知を行い、回路が導通された後、タッチパネル２２上でタッチモード２１０の操作を行い、且つ連動装置５の２つの連動モジュール５２によりシートカバー７１またはガソリンタンクカバー７２に対応されるバックル７０が引っ張られ、シートカバー７１またはガソリンタンクカバー７２が開かれ、或いは、タッチパネル２２の操作によりエンジンオフが達成される。
これにより、本考案に係るバイク用感知ロックシステム１は従来のハードウェアのバイクキーを代替させ、ロック解除が便利になり、且つ携帯電子装置６及びタッチモード２１０による二重の安全確認機制が達成され、従来の車のキーは盗難に遭い、車内の物品が盗まれる危険性があるという欠点を有効に解決させる。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
１      バイク用感知ロックシステム
２      感知モジュール
２１    タッチユニット
２１０  タッチモード
２１１  第一スライドジェスチャー
２１２  第二スライドジェスチャー
２１３  第三スライドジェスチャー
２２    タッチパネル
２３    処理素子
２４    ワイヤレス送信装置
３      位置決めモジュール
３０    モーター    
３１    本体
３１０  固定壁
３１１  ベース      
３１２  スルーホール
３１３  案内溝
３２    回転部材
３３    ターンテーブル
３３１  トラック
３３２  固着部
３３３  固着部材
３４    シャフト
３５    カバー
４      感知素子
５      連動装置
５１    連動ロープ
５１１  第一端部
５１２  第二端部
５２    連動モジュール
５２１  スライダー
５２２  連接ロッド
５２３  牽引ロープ
５２４  スプリング
５２５  位置決め孔
５２６  位置決め用案内溝
６      携帯電子装置
７      バイク
７０    バックル
７１    シートカバー
７２    ガソリンタンクカバー
７３    エンジンオフ
【図１】
0003207670.tif 000003
【図２】
0003207670.tif 000004
【図３】
0003207670.tif 000005
【図４】
0003207670.tif 000006
【図５】
0003207670.tif 000007
【図６】
0003207670.tif 000008
【図７】
0003207670.tif 000009
【図８】
0003207670.tif 000010
【図９】
0003207670.tif 000011
【図１０】
0003207670.tif 000012